Podtech/llm-jp-corpus-v4-ja_patent huggingface dataset:
(57)【要約】【課題】従来の建設機械に付いている排土板は押し出して行くと、排土板の前に土砂が多くなると排土板の左右の端から零れる問題点があった。これは排土板の形状が真上から見て直線状であるためである。【解決手段】排土板の形状を真上から見て円弧状にした。これにより土砂を押し出し行くと排土板の土砂が真ん中に溜まってくるため排土板の左右から零れが少なくなり零れた土砂を何度も押し出すことがないため短時間で効率よく埋め戻し整地作業をすることができる。【選択図】図２
2018035651.tif 000002
【特許請求の範囲】
【請求項１】
土砂を押し出すために付いている建設機械の排土板の形状を真上から見て、円弧状にした排土板。
【発明の詳細な説明】
【技術分野】
【０００１】  本発明は、土砂を押し出すための建設機械の排土板に関する。
【背景技術】
【０００２】  油圧ショベル、ブルドーザー、ホイ−ルローダー、モーターグレーダー等の建設機械の進行方向に土砂を押し出す排土板を有する物がある。通常、排土板の形状は真上から見ると直線状である。中には、Ｖの字状に変形する物もある。
【先行技術文献】
【特許文献】
【０００３】
【特許文献１】  実開昭６１−０７６８６１号  公報
【０００４】
【発明の概要】
【発明が解決しようとする課題】
【０００５】  以上に述べた従来の排土板は、土砂を押し出して行くと左右の端から零れるため、一度押し出した場所を左１回右１回と計３回以上押し出しながら整地作業を行っていた。中には、排土板本体が傾く（アングル）物もあるが、必ず左右どちらかは零れないがその反対側は零れるため、零れた土砂をもう１度押し出していた。【０００６】  また、Ｖの字状に変形する物は部品点数が増えて重くなり壊れやすいので除雪用のホイールローダーにあるが、土砂を押し出す建設機械は大型のブルドーザーに少数あるだけである。【０００７】  本発明は、このような従来の排土板の形状が有していた問題を解決するものであり、土砂の埋め戻し整地作業を短時間に効率よく行うことを目的とするものである。
【課題を解決するための手段】
【０００８】  上記問題点を解決するために本発明は、排土板の形状を真上から見て進行方向に向かって、土砂が溜まるように円弧状にしたものである。
【発明の効果】
【０００９】  上述したように、本発明の排土板の形状は、土砂を押し出して行くと真ん中に溜まってくる。土砂が排土板の前に溜まってきたら排土板の高さを上げれば、左右に零れることがない。特に狭い場所では、零れた土砂を手作業で均す心配がない。【０００１０】  また、少ない土砂の整地作業においても、左右に零れることがないので整地面の高さも効率よく出しやすく、Ｖの字状に変形する物に比べシンプルで壊れない。
【図面の簡単な説明】
【００１１】
【図１】本発明の実施形態による油圧ショベルを示す図の全体構成を示す図。
【図２】本発明の排土板を真上から見た平面図。
【図３】本発明の排土板を左前方から見た斜視図。
【図４】本発明の実施形態を真上から見た平面図。
【図５】従来の排土板作業を真上から見た平面図。
【発明を実施するための形態】
【００１１】  以下、本発明の実施の形態を図１〜図５に基づいて説明する。
【００１２】  図において１は排土板で２がリンクと４油圧ショベル本体が連結している。
【実施例】
【００１３】  以下、上記構成の動作を図４で説明する。土砂５を排土板１で前方に押し出して行く。土砂５は排土板１の真ん中に溜まってくる。排土板１の左右から土砂５が零れることが少なくなる。土砂５の量が増えてきたら排土板１の高さを調整して押し出し行けば、土砂５が零れることがないため、排土板１に溜まった土砂５の移動を容易に行うことができる。【００１４】  更に、狭い場所の排土板整地作業において、図５の従来の排土板は、左右に土砂を零していくため、零した土砂を手作業またを油圧ショベルのバケットでまた均す必要があった。本発明の排土板は零れることがないため短時間で効率よく作業することができる。【００１５】  更に、少ない量の土砂の整地作業においても左右に土砂が零れることがないので整地する高さの微調整がしやすいので円滑容易に作業することができる。
【産業上の利用可能性】
【００１６】  これまで本発明の一実施形態について説明したが、本発明は上述の実施形態に限定されず、その技術的思想の範囲内において種々異なる形態にて、実施されて良いことは言うまでもない。
【符号の説明】
【００１７】    １  排土板
２  リンク
３  クローラー
４  油圧ショベル
５  土砂
【図１】
2018035651.tif 000003
【図２】
2018035651.tif 000004
【図３】
2018035651.tif 000005
【図４】
2018035651.tif 000006
【図５】
2018035651.tif 000007
(57)【要約】【課題】従来、ドアの底部と床面との間隙部において、摩擦力が大きい形状や材質を有する楔形のドアストッパーを用いてドアを固定することが多く行われた。然しながら現実には床面とドアストッパー下面との摩擦力が十分に得られずドアを閉める(あるいは開ける)時にドアストッパーがドアと共に移動してしまう欠点がみられた。【解決手段】本考案はドアとドアストッパーとの関係は滑りを重視して、ドアの開閉時に、ドアがドアストッパーの上をスライドしてドアストッパーから床面への下向きの圧力を強くし、ドアストッパーと床面との摩擦によりドアストッパーが床を移動しないでドアの閉（あるいは開）動作時に容易にドアを停止する。【選択図】図１
2018035523.tif 000002
【特許請求の範囲】
【請求項１】
摩擦の強い面と滑りの強い面を斜めに対面させて弾性的に固定して作製したドアと床面の間に置いて使用する楔形のドアストッパー
【発明の詳細な説明】
【技術分野】
【０００１】
本発明は、ドアの底部と床面の隙間に置き、ドアを開いた状態に固定するためのドアストッパーに関する。
【背景技術】
【０００２】
従来からドアを開いた状態で固定するために、楔形のドアストッパーをドアの底部と床面の隙間に置き、固定する方法が多く用いられている。
【０００３】
これは、ドアの底部と床面の隙間を楔により広げ、その反発力としての圧力を利用して、ドアの底部及び床面との摩擦力を高め、ドアストッパーそのものを固定することにより、その位置にドアを固定するものである。
【０００４】
このため、ドアの底部と楔の上面、床面と楔の下面の摩擦抵抗がその機能に大きく作用し、これらの機能を効果的に果たすために特許文献１〜１6にみられる材質、形状の改善が図られてきた。
【先行技術文献】
【特許文献】
【０００５】
【特許文献１】特開2010-127068(スライド面を含むドアストッパー)
【特許文献２】特開2004-316392(ゴムボールを利用)
【特許文献３】特開2004-211486(天板と回転体)
【特許文献４】特開2000-080847(偏心車輪付き)
【特許文献５】実開平02-077273        (材質と形状による楔の効果改善)
【特許文献６】実開平02-025668        (段重ねによる適用高さの拡大)
【特許文献７】実登3138574        (材質と形状による楔の効果改善)
【特許文献８】実登3050043        (段重ねによる適用高さの拡大)
【特許文献９】実登3033356        (材質による楔の効果改善)
【特許文献１０】実登3003031        (貫通孔を設けて柔軟性耐久性向上)
【特許文献１１】特開2008-267094(防滑材更に凹凸材を使用)
【特許文献１２】特開2008-115573(縦横使用による適用高さの拡大)
【特許文献１３】特開2005-139646(C形材と平板組み合わせ)
【特許文献１４】特開2004-084430(円形楔形による利便性改善)
【特許文献１５】特開2002-121954(裏表使用による適用高さの拡大)
【特許文献１６】特開平11-125052        (帯板を使う楔形)
【発明の概要】
【発明が解決しようとする課題】
【０００６】
楔形のドアストッパーは、ドアの底部と床面の隙間に差し込んで使用するため、ドアの底部と床面との接触面において、摩擦力が大きい形状や材質を用いる。これでドアを固定する力は強くなっている。
【０００７】
過去の楔形のドアストッパーは特許文献１〜16に見るように底面の摩擦を高めるために様々の材質形状を工夫している。
【０００８】
しかしながら、ドアストッパーがドアの開閉の動きと一緒に動いてしまう問題が発生して、床との摩擦が発生するまでドアストッパーを足で押さえてドアを開閉したり、ドアストッパーを固定したドアの下に差し込んだりする事態に陥っている。
【０００９】
特許文献1にあるように、楔形ドアストッパーを上下二つに分割し中間にスライド面を形成したものもあるが、構造が複雑になるきらいがあった。
【００１０】
特許文献２〜４にあるように回転体を組み合わせて床との摩擦を効果的に増やそうとしたものもあるが、構造が複雑になるきらいがあった。
【課題を解決するための手段】
【００１１】
図３に示すように、ドアストッパーの上面は、摺り性の高い柔かな構造とし、一方ドアストッパー底面は溝や突起などを設けたりあるいは粘着性の材料を使うなどにより摩擦の大きい構造にした。また全体に柔らかい材料を用いた。
【発明の効果】
【００１２】
図4にて、ドアが開閉動作時にドアストッパーと接触してから停止するまでの状況を説明する。
【００１３】
ドアは左方向に動いているとする。ドア２がドアストッパー１の上部の滑り面材３とドアの左下端で接触する。
【００１４】
ドアは動く勢いがあり、またドアストッパー上面は滑り性が強いから２aの位置まで動き、滑り面材3は少し変形して３aとなりドアは停止し固定される。
【００１５】
ドア２aはその左下端でドア２よりもドアストッパーの少し高い位置で接することになり、ドアストッパーは下方向への力を受けて、床４へ押し付けられる。そして床４とドアストッパーは摩擦が強くなり、ドアストッパーは固定される。
【００１６】
ドアはドアストッパーからの反力で停止・固定される。
【００１７】
以上のようにしてドアストッパーを置いた位置で、ドアの開閉動作によってドアストッパーが移動することなくドアを停止・固定できる。このドアストッパーは構造が簡単であり、容易に製作出来る。
【図面の簡単な説明】
【００１８】
【図１】ドアストッパーの基本的な斜視図
【図２】ドアストッパーの使用要領図
【図３】上面と底面の摩擦状態を変えたドアストッパーの立面図
【図４】効果の説明をする立面図
【発明を実施するための形態】
【００１９】
ドアの開閉動作の時にドアと共に動かずにドアを停止・固定するドアストッパーを簡単な構造で実現した。
【実施例】
【００２０】
図３に示すように楔形の弾力のある部材（ゴム等）の上部に滑り性の強い柔らかい面材（プラスチック等）を設けて、底面には同じ材料で鋸歯状の列を設けて摩擦を大きくしたドアストッパー。
【産業上の利用可能性】
【００２１】
本ドアストッパーは家庭における居室あるいは公共・多人数で使用する居室、会議室、集会場、作業場党のおよそドアのある室で利用可能である。製作も複雑な工程なく行える。
【符号の説明】
【００２２】
１  ドアストッパー本体
２  ドアがドアストッパーに接触する位置
２a  ドアが固定される位置
３  滑り面材料
３a  ドアが移動し固定されるときの滑り面材の形
４  床
【図１】
2018035523.tif 000003
【図２】
2018035523.tif 000004
【図３】
2018035523.tif 000005
【図４】
2018035523.tif 000006
(57)【要約】【課題】クッションフロアや塩ビタイル等の床材を貼るための糊付け作業は、糊付け用のへら一枚を使用して手作業にて行うのが従来の方法であった。【解決手段】糊入れバケツとへら付き器の組み合わせでスライドさせることにより容易に床に糊が付けられることをを可能にした。【選択図】図１
2018035502.tif 000002
【特許請求の範囲】
【請求項１】
糊挿入バケツと糊べらを取りつけた器の組み合わせで、スライドさせる事により、床に糊を付ける事が出来る糊付け器。
【発明の詳細な説明】
【技術分野】
【０００１】
この発明は、床糊付けに関する
【背景技術】
【０００２】
従来の床の糊付けは、糊べらにて手作業でするものであった。
【発明の概要】
【発明が解決しようとする課題】
【０００３】
従来の技術によれば、クッションフロアや塩ビタイル等の床糊は、糊べらにて手作業にて行われるものであった。そこでこの発明は手作業を容易簡単にできることの機能を持つ糊付け器を提供することを課題とする。
【課題を解決するための手段】
【０００４】
以上の課題を解決するために、本発明は、床糊を入れた器を、スライドさせる事により、糊付けができる事を特徴とする器である。  
【発明の効果】
【０００５】
本発明によれば床糊付けが簡単になる。
【図面の簡単な説明】
【０００６】
【図１】この発明の一実施形態を示す姿図である。
【図２】この発明の糊を挿入する底板に開口部があるバケツの姿図である。
【図３】この発明の図２の糊入れバケツを固定する部分の姿図。
【図４】この発明の床に糊をかいて付ける糊ベら部の姿図。
【図５】この発明の糊を挿入するバケツと糊べら部の組み合わせ断面図。
【図６】この発明の実質的使用方法図。
【図７】この発明の糊入れバケツの悲固定型の平面図。
【発明を実施するための形態】
【０００７】
この発明の一実施形態を、図１に示す。
糊付けへらを装着したスライド式糊付け器である。
【０００８】
「実施形態の効果」
この実施形態によれば、図５に示すように糊を挿入するバケツ２は床面より５ミリ程度持ち上げられており、底面には開口部があり適量の糊がへら付き器４に広がり、この糊付け器を支持棒１を少し抑えながらスライドさせる事により、適量の糊を補充しながら床に糊が付けられる。実質的使用方法を図６にて示すと、アの位置で糊入れバケツ２に糊を挿入すると器４全体に糊が広がる。そしてアからイまで糊付け器をスライドさせると上部（斜線の部分）に糊が集まるので×印の部分に他の小さなへらで糊を寄せておく。そしてウの位置に移動したとき右側（斜線の部分）に糊が集まるので×印に小さなへらで糊を寄せておく。そしてエの方向に糊付け器をスライドさせる。この様な手順で床に糊を付けていく事が出来る。糊ベら付き器のへらはビス止めになっているので交換する事が出来る。
「他の実施形態」
図１の実施形態では、糊バケツ２の床からの高さは固定されているが、床糊の粘着度が変化したときのためにバケツ支持板３を器４とのかみ込み部分にすけものをする事により、糊入れバケツの床からの高さを調整する事も可能である。また糊入れバケツを図７のように自在移動型にすることも可能である。
【符号の説明】
【０００９】
１糊付け器支持棒  ２糊入れバケツ  ３バケツ支持板  ４糊ベら付き器  
【図１】
2018035502.tif 000003
【図２】
2018035502.tif 000004
【図３】
2018035502.tif 000005
【図４】
2018035502.tif 000006
【図５】
2018035502.tif 000007
【図６】
2018035502.tif 000008
【図７】
2018035502.tif 000009
(57)【要約】 【課題】  Ｌ形蓋受枠と隣接Ｌ形溝との境界部で、ごみが停滞しにくくした雨水桝を提供する。【解決手段】道路の側縁に設けられているＬ形溝列中に並設される雨水枡のコンクリート製のＬ形蓋受枠１の隣接Ｌ形溝３に接する側に、入口ａを隣接Ｌ形溝の予想沈下分だけ低くした位置から格子盤受部１１に至る勾配を付した流入溝１２，１２を設ける。前記格子盤２の側縁２１の前記流入溝１２と対応する部分に切欠部２２を設け、落葉やごみ等の流入空間２３を形成する。【選択図】図１
2018035507.tif 000002
【特許請求の範囲】
【請求項１】
道路の側縁に設置されるＬ形溝列中に設置される雨水桝であって、該雨水桝のＬ形蓋受枠の隣接Ｌ形溝と接する側に、雨水及びごみの流入溝を設け、且つ前記Ｌ形蓋受枠に嵌合した格子盤又はグレーチングの前記流入溝と対応する側縁に切欠部を形成したことを特徴とする雨水枡。
【請求項２】
前記流入溝に勾配を付したことを特徴とする請求項１記載の雨水枡。
【発明の詳細な説明】
【技術分野】
【０００１】
本発明は、道路の側縁に設けられるＬ形溝列中に並設される雨水桝に関するものである。
【背景技術】
【０００２】
周知のように道路の側縁に設けられたＬ形溝列中に、適宜間隔でＬ形蓋受枠を設けた雨水桝を設け、道路上に降った雨水を直接又はＬ形溝を介して前記雨水桝に流入させ、下水道に排水させるようにしている。
【０００３】
ところが、街路樹が設けられている場所や、住宅地で道路に沿って生垣を設けている場所等では、しばしば雨水桝の蓋受枠側縁に落葉等のごみが滞留、堆積して見苦しい景観を呈していることはよく知られている。
【０００４】
その原因について、考察したところ、一般に雨量が少なくＬ形溝を流れる水力が弱いため、格子盤やグレーチングの穴に落葉やごみが流れ込まず、穴を塞ぐようにごみが停滞し、次々に堆積し、見苦しい状態となる。その外に、Ｌ形溝を設置する工法として、砂の層の上にＬ形溝を設置する工法を採っているため、雨水枡のＬ形蓋受枠の側縁より隣接Ｌ形溝が沈下して段差ができ、その段差の部分にごみが引掛り、停滞してしまうことが原因であることが分かった。
【０００５】
そして、この段差が生じている雨水枡のある近隣住民は、台風等の大雨の場合、そこに土砂やごみが集まり、掃除等が大変になるので、大雨等の場合、蓋を開けてしまい雨水枡に人が落ちる等の非常に危険な状態になるといった問題があった。
【先行技術文献】
【特許文献】
【０００６】
【特許文献１】特開昭４７−３０１３２号公報
【発明の概要】
【発明が解決しようとする課題】
【０００７】
そこで本発明は、Ｌ形蓋受枠と隣接Ｌ形溝との境界部で、ごみが停滞しにくくした雨水桝を提供することを課題とするものである。
【課題を解決するための手段】
【０００８】
本発明は、上記の課題を解決するためになされたもので、請求項１記載の発明は、道路の側縁に設置されるＬ形溝列中に設置される雨水桝であって、該雨水桝のＬ形蓋受枠の隣接Ｌ形溝と接する側に、雨水及びごみの流入溝を設け、且つ前記Ｌ形蓋受枠に嵌合した格子盤又はグレーチングの前記流入溝と対応する側縁に切欠部を形成したことを特徴とする雨水枡である。
【０００９】
請求項２記載の発明は、請求項１記載の発明において、前記流入溝に勾配を付したことを特徴とする雨水枡である。
【発明の効果】
【００１０】
請求項１記載の発明によれば、一般的な落葉やごみ等であれば、停滞することなく、雨水により流入溝を経て雨水枡に流入させることができる。
【００１１】
請求項２記載の発明によれば、落葉やごみ等を流入溝の位置で停滞させることなく、スムースに雨水桝に流入させることができる。
【図面の簡単な説明】
【００１２】
【図１】本発明の実施例１の一部切断斜視図である。
【図２】本発明の実施例１で用いた格子盤の側面図である。
【図３】本発明の実施例２におけるＬ形蓋受枠の斜視図である。
【図４】本発明の実施例１又は実施例２で用いられるグレーチングの平面図である。
【実施例１】
【００１３】
図１は本発明の実施例の一部切断斜視図、図２は実施例１で用いた格子盤の側面図で、１は雨水枡（図示せず）の格子盤又はグレーチング等のコンクリート製のＬ形蓋受枠、２は実施例１で用いた鋳物製の格子盤、３は隣接Ｌ形溝である。
【００１４】
前記Ｌ形蓋受枠１は、一般の平面道路で用いられるもので、隣接Ｌ形溝３に接する側に入口ａを隣接Ｌ形溝３の予測沈下分だけ低くした位置から格子盤受部１１に至る勾配を付した流入溝１２，１２が設けられている。なお、傾斜道路に用いる場合は、片側（上流側）だけでよい。
【００１５】
また、前記格子盤２は、側縁２１の前記流入溝１２と対応する部分に切欠部２２を設け、落葉やごみ等の流入空間２３を形成するように構成されている。
【００１６】
以上のように構成されているので、隣接Ｌ形溝３を流れる雨水と落葉又はごみは、流入溝１２を経て雨水桝に流入し、格子盤２によって阻害されることなく、流入空間２３を経てスムースに流れ落ちる。また、隣接Ｌ形溝３が沈下しても、落葉又はごみを雨水枡に排出することができる。
【実施例２】
【００１７】
図３は実施例２におけるコンクリート製のＬ形蓋受枠１’の斜視図で、流入溝１２’，１２’を実施例１の場合のようにスロープ状とせずに、単なる凹溝としたものである。
【００１８】
この実施例２の場合、前記実施例１に比して隣接Ｌ形溝からの落葉やごみ流入の円滑さに劣るが、隣接Ｌ形溝が沈下した場合でも、落葉やごみ等を雨水と共に停滞することなく、雨水桝内に流入排出させることができる特徴がある。
【００１９】
図４は、本発明の実施例１又は実施例２で用いるグレーチング４の平面図を示すもので、前記流入溝１２，１２又は１２’，１２’と対応する側縁に切欠部４１，４１を設けたものである。
【００２０】
このように切欠部４１，４１を設けると、大きな流入空間が得られるので、よりスムースに落葉、ごみ等を雨水枡に流入させることができ、実施例１における鋳物製格子盤に適用した場合も同様の効果が得られる。
【００２１】
以上、数例の実施例を例示したが、本発明によれば、落葉、ごみ等の停滞による見苦しさを解消することができるので、環境改善に頗る有用な発明である。
【符号の説明】
【００２２】
１，１’      Ｌ形蓋受枠
２            格子盤
３            Ｌ形溝
４            グレーチング
１１          格子盤受部
１２，１２’  流入溝
２１          側縁
２２，４１    切欠部
２３          流入空間
【図１】
2018035507.tif 000003
【図２】
2018035507.tif 000004
【図３】
2018035507.tif 000005
【図４】
2018035507.tif 000006
(57)【要約】      （修正有）【課題】ブラジャーの着用時の後ろホック、前の乳房下のワイヤーによる痛み、脇横の食い込みを防止する胸巻下着の提供。【解決手段】胸巻下着は、ブラジャー装着する前、ブラジャーの下、胸部に着用する胸専用のインナー胸巻であり、肌に優しい生地で作った幅６センチ程度の構成とする。【選択図】図１
2018035485.tif 000002
【特許請求の範囲】
【請求項１】
ブラジャーを付ける前に、ブラジャーの下に装着するインナーの胸巻の提供
【発明の詳細な説明】
【技術分野】
【０００１】ブラジャーの下に付ける肌保護目的の胸巻下着
【発明の概要】
【発明が解決しようとする課題】
【０００２】女性が乳房をきっちりと支えてサポートするために装着するブラジャーですが、後ろのホックや胸サポートのワイヤー、締め付け、摩擦により擦れて辛い思いをすることも多い
【課題を解決するための手段】
【０００３】ブラジャー装着する前、ブラジャーの下、胸部に着用する胸巻下首で幅は５センチ前後の環になっており、前部分は乳房を圧迫しないように少し広めで切込みを入れる
【発明の効果】
【０００４】ブラジャーの下に本品を付ける（着る）ことにより、後ろのホックや、乳房をサポートする前下部分にあるワイヤーの肌への負担を軽減することが可能になる
【発明を実施するための手段】
【０００５】幅５センチ前後の輪状の胸巻であるが、締め付けず、しかも下がってこないように肌に優しい素材で制作する。又、乳房の下は意外に汗をかきやすいと云うこともあり、その対策のために汗取りパットをつける、或いは横脇の食い込み対策としてわき部分をしっかりとした素材を併用して作ることも考えられる。おしゃれを考慮すればレース等をあしらう、ブラジャーとの色合わせなども考えられる。
【図面の簡単な説明】
【０００６】
【図１】斜視図
【図２】使用例
【図１】
2018035485.tif 000003
【図２】
2018035485.tif 000004
(57)【要約】      （修正有）【課題】コンクリート殻や瓦、レンガなどの廃棄物である多孔質物を利用し、除草管理が必要な場所に施工することで除草作業の簡易化、低コスト化、持続性を図る目的としての路盤材及び防草方法を提供する。【解決手段】原料にコンクリート殻や瓦、レンガなどを破砕ｂ、分級ｃしたリサイクル材を使用し、高炉セメントと水を添加し、混合ｅを行う。混合後、ダンプトラック等にて運搬ｇし、使用箇所にて敷き慣らしｈを行い、締固め機械を使用し、締め固めｉて仕上げるｊ。【選択図】図１
2018001145.tif 000002
【特許請求の範囲】
【請求項１】
瓦、レンガなどの廃棄物を原料とし、原料にセメントと水を添加し、混合を行い、防草管理が必要な未舗装地である道路、歩道、土羽、のり面、駐車場等に敷き慣らし、転圧締固めを行うことで暴走効果が発揮する路盤材及び防草方法。
【請求項２】
廃棄物の原料として瓦、レンガ、ガラスくず、コンクリートくず、陶磁器くずのいずれか１種、もしくは数種を混合し粉砕、分級した請求項１に記載の路盤材及び防草方法。
【請求項３】
廃棄物の原料として瓦、レンガ、ガラスくず、コンクリートくず、陶磁器くずのいずれか１種、もしくは数種を混合し、粉砕し、１０ｍｍ以下もしくは、２０ｍｍ以下に分級したものを用いる請求項２に記載の路盤材及び防草方法。
【請求項４】
原料に添加するセメントはＪＩＳ  Ｒ  ５２１１高炉セメントＢ種を使用し、アルカリシリカ反応の抑制と、高炉スラグを利用したリサイクル品を使用する請求項１、請求項２、請求項３に記載の路盤材及び防草方法。
【請求項５】
原料に添加するセメントを２．５〜１０重量％とする、請求項１、請求項２、請求項３、請求項４に記載の路盤材及び防草方法。
【発明の詳細な説明】
【技術分野】
【０００１】この発明は、除草管理が必要な場所に施工することで雑草の抑制につながり、管理の簡易化を図るための低予算材料に関するものである。
【背景技術】
【０００２】雑草が生える未舗装地において定期的な草刈りなどの管理が必要であるが、雑草の抑制として代表的な方法としては、生コンクリートを流し込み打設工事を行っているが、生コンクリートの価格は高く、コストがかかりすぎている。生コンクリートの場合、養生期間も長く開放するまでの時間もかかっている。
【先行技術文献】
【特許文献１】特開２００５−１７９６２３公報
【発明の概要】
【発明が解決しようとする課題】
【０００３】この発明は、未舗装地の防草を目的とし、地球環境を考慮したリサイクル製品を利用し、いかに低予算で、開放時間を短くすることが可能な新たな防草手段を提供することを課題とする。
【課題を解決するための手段】
【０００４】地球環境を考慮したリサイクル製品として、廃棄物であるガラスくず、コンクリートくずおよび陶磁器くずを破砕プラントにて破砕し、破砕後粒径を１０ｍｍ以下もしくは、２０ｍｍ以下に分級した製品を製造する。【０００５】上記、分級した製品の品質管理として、ＪＩＳ  Ａ  ５０２３（再生骨材Ｌを用いたコンクリート）付属書Ａを引用し、品質基準を定める。【０００６】強度が必要な場合は２０ｍｍ以下の製品、それ以外は、１０ｍｍ以下の製品を原料とし、これらの原料に対し高炉セメントを２．５〜１０重量％、含水比を１９〜２０％目標に水を添加し、混合プラントにて混合を行い、ダンプトラック等で運搬を行う。【０００７】防草目的場所にて、５ｃｍ〜１３ｃｍに敷き慣らし、締固め機械を用いてプレートコンパクタもしくはハンドガイドローラを利用しよく締固める。ＪＩＳ  Ａ  １２１０土の突固め試験結果での最大乾燥密度に対する締固め度を９０％以上満足できるように行う。法面、土羽部分に施工する場合には、バックホーを用いて、均一に敷き土羽バケットにてよく締め固める。
【発明の効果】
【０００８】施工後、路盤材自体がよく締固まり最大乾燥密度を満足させ、尚かつセメントの固化により遮光効果が生まれ草が自生する土砂等から植物の発芽を防止する役割を果たすことが出来る。【０００９】また、路盤材自体がセメントの固化反応により強度が増し、雑草が根を張ることが出来ず、セメントと同じ効果を発揮出来る。【００１０】上記のセメントと同じ効果を発揮出来る根拠として、ＪＩＳＡ１１０８に準じる一軸圧縮試験として供試体（１００×２００）を用いて試験を実施した結果、７日強度では、８．８０Ｎ／ｍｍ２、２８日強度では、１６．９Ｎ／ｍｍ２の結果を得ている。【００１１】添加セメントをＪＩＳ  Ｒ  ５２１１高炉セメントＢ種を使用するが、高炉セメントＢ種の特性上、初期強度が小さい傾向があるが締固めを行うことにより製品の保持力が上がりセメントの凝結時間を確保すれば開放することも可能である。そのため養生時間の短縮が実現でき、駐車場などの利用再開も早く行える。【００１２】原料である再生砂がリサイクル製品のため、新材（天然砕石）の使用が減るため環境に優しく、再生砂には多孔質物が多く含まれ、保水性が高いため、表面温度の低下につながります。ヒートアイランド現象の抑制につながる。
【図面の簡単な説明】
【００１３】
【図１】原料から完成までの流れを表すフロー図。
【発明を実施するための形態】
【００１４】本発明を実施するための形態を図面を用いて参照しながら詳細に説明する。
【００１５】図１（ａ）主原料として産業廃棄物であるガラスくず、コンクリートくずおよび陶器くずである。
【００１６】図１（ｂ）主原料を破砕するための設備である。破砕機形状はクラッシャーである。
【００１７】図１（ｃ）破砕された主原料を分級するための設備である。フルイ機形状はスクリーン式である。
【００１８】図１（ｄ）ｄ１分級された製品１０ｍｍ以下の製品または２０ｍｍ以下の製品を原料とし、ｄ２水を自然含水比プラス加水を行い１９〜２０％目標とし、ｄ３高炉セメントＢ種を２．５〜１０％添加し、図１（ｅ）混合プラントに投入し、二軸パドルミキサーにて練り混ぜを行う。
【００１９】図１（ｆ）原料、水、セメントが混合された製品として排出されたものである。
【００２０】図１（ｇ）運搬は、主にダンプトラックにて運搬でき、施工場所まで運びいれる。
【００２１】図１（ｈ）土間部分や駐車場等に施工する場合は、仕上げ高さが１０ｃｍとすると１２〜１３ｃｍに均等になるように敷き慣らし、法面部や土羽部分の場合は、バックホーもしくは人力にて法面部分に均等に敷き慣らす。
【００２２】図１（ｉ）締固め機械（プレートコンパクタ、ハンドガイドローラ）を用いて最大乾燥密度の９０％以上になるように締固める。
【００２３】図１（ｊ）添加セメントの凝結時間を確保し、施工状況、気象状況等の変動で変化するが、数時間程度養生が必要である。
【００２４】以下、示したようにコンクリート施工法とは異なった工法で行うが、コンクリートのように高い強度が求められない場合において施工することでリサイクル品を使用し、低コスト化をはかり、環境配慮に貢献できる発明である。
【図１】
2018001145.tif 000003
(57)【要約】【課題】通常書類、冊子、カタログ・・を入れるための２つ折り透明プラスチックシートから成るファイルに於いて内部の用紙の枚数が多い場合には、往々にして中の用紙が抜け落ちることが多い。それを防ぐのが本発明の課題である。【解決手段】図１のように透明プラスチックシートを２つ折りにして長方形ＡＢＣＤとし、その底辺ＢＣをヒートシールして用紙が抜け落ちないようになっており、用紙はフリーの２辺ＡＤ、ＤＣから入れてファイルする。但し、用紙の枚数が多く厚くなるとＡＤ、ＤＣから中身が滑り落ち易い。そこで辺ＡＤの中央にキーを取り付けて、これを外さない限り中身が抜け落ちないようにする。同時にキーが閉じたとき、これに施された小孔によって、かべにもかけられるようにする。【選択図】図４
2018001737.tif 000002
【特許請求の範囲】
【請求項１】
従来と同様な薄い透明プラスチックシートの２つ折から成るファイルの上部のフリー辺の中心にキー孔を施こし、同様にキー孔にこれより僅かに巾の広いベロ状のキーを接着し、キーを２つ折してベロの部分をキー孔に差込んだとき、キーが巾の狭いキー孔の両側にはまってキーがぬけなくなりフリー辺が閉鎖され、またこのキーを容易に開放することもでき、かつキーの一部に小孔２ケを設けキーを２つ折りしたとき、この孔が重なってかべかけ用ファイルパンチとなることを特徴とするキー付ファイル。
【発明の詳細な説明】
【技術分野】
【０００１】本発明は広く利用されている透明プラスチックシート製の２つ折ファイルに関するものである。
【背景技術】
【０００２】従来の２つ折ファイルは、その内部に入れられる用紙の枚数が多いと往々にして外部へ抜け落ちる欠点がある。
【発明が解決しようとする課題】
【０００３】上記のようなファイルの欠点を解消し、更により良い価値を求めようとするのが本発明の課題である。
【課題を解決する手段】
【０００４】本発明に於いては、透明ファイルの長方形の上辺のフリー辺にファイルと同質の薄いプラスチックシートのかさばらないキーとこれに対応するキー孔を設け、キーをキー孔に挿入すれば、キーが固定されキーをキー孔から抜き出せば内部の用紙が開放されるようにする。
【発明の効果】
【０００５】従来型透明ファイルのフリー辺に簡単なかさばらないキー及びキー孔を設け、簡単なキー操作により内部に多枚数の用紙を入れても抜け落ちることがない。
またキーを閉じたとき、キーに施された２つの小孔が重なって、かべかけ用ファイルとなる。
【発明を実施するための最良の形態】
【実施例】
【０００６】図１  図２  図３  図４
図１は薄い透明プラスチックシートの長方形の透明ファイルＦＬで辺ＡＢは折り目、ＢＣはヒートシールされた底辺、また辺ＡＤはオープンフリーの辺で、用紙はこのフリー辺から中に出し入れされます。このファイルの上層をＦＬ−１、下層をＦＬ−２と呼ぶ。
図２はＦＬと同様な材質の薄いシートで作られているベロ状キーで巾Ｗ１である。
ＸＸ，ＹＹはそれぞれヨコ、タテ方向の対称軸でＸＸの上下に小孔Ｈ１，Ｈ２が設けられ、上部ベロの下の左・右両端に短い切れ目Ｔ１，Ｔ２が施されている。
図３ではこのベロ状キーをその下部ＰＱＲＳでファイルＡＦ−２の裏面に接着した図である。
そして図４に於けるようにＰＱＲＳで接着されたキーはＸＸ部で２つ折りされ、そしてＴ１，Ｔ２に相当するファイルＦＡ−１の部分にＷ１より巾のせまい切れ目Ｕ１，Ｕ２をＦＬ−１に施しておけば上部ＸＸで折られたＴ１，Ｔ２がＵ１，Ｕ２に重なった状態でベロ部分はＦＡ−１の巾Ｗ２の切れ目Ｕ１，Ｕ２にはめられＷ１＞Ｗ２だから巾Ｗ１のベロはＵ１，Ｕ２にはまりこんで抜けなくなり、キーがロックされる。
そしてこのときこのキー付ファイルは、小孔Ｈ１，Ｈ２によってかべにかけられる。
またキーＫを外したいときは、ベロのＴ３の部分を指先でつぼめて
2018001737.tif 000003
【図面の簡単な説明】
【０００７】
【図１】２層式透明ファイルの正面図
【図２】ベロタイプキーの正面図
【図３】キーのファイルへの取付正面図
【図４】ファイルをキーによって閉じた正面図
【符号の説明】
【０００８】１、ＦＬ：２層から成る透明ファイル
２、ＡＢＣＤ：ＦＬの長方形の４つの角
３、ＣＥ：ＦＬの長方形の１辺ＣＤの部分的シール
４、ＶＫ：ベロ状キー
５、Ｖ：ベロ状キーのベロの部分
６、Ｗ１：ＶＫの巾
７、ＹＹ：ＶＫのタテの中心線
８、Ｈ１、Ｈ２：ＶＫに施されたファイルパンチ
９、ＸＸ：Ｈ１、Ｈ２の中心に施されたヨコミシン目
１０、Ｔ１、Ｔ２：ベロの下に施された短い切れ目
１１、ＰＱＲＳ：Ｋの下部の接着部分（斜線部分）
１２、Ｔ３：Ｔ１、Ｔ２に直角に施された短い折り筋
【図１】
2018001737.tif 000004
【図２】
2018001737.tif 000005
【図３】
2018001737.tif 000006
【図４】
2018001737.tif 000007
(57)【要約】      （修正有）【課題】ナンプレを楽しむために、本を次から次と買うのは何とかならないものかと思っておりました。【解決手段】ナンプレノートがあると、ナンプレの問題をボールペンでナンプレノートに書き写すことで、数冊の本を順番にサイクルしていけば永く楽しむ事ができます。【選択図】図１
2018001739.tif 000002
【特許請求の範囲】
【請求項１】
ナンプレの問題をボールペンで書き写すためのノート。
【発明の詳細な説明】
【発明の概要】
【発明が解決しようとする課題】ナンプレの本を１度に３冊程、約２千円位で買いますが、数ヶ月で終わってしまいます。買ってきた本の問題をナンプレノートにボールペンで書き写し、何度も利用することで永く楽しむ事が出来ます。
【課題を解決するための手段】ナンプレの問題をボールペンでナンプレノートに書き写し、数冊のナンプレの本を順番にサイクルしていけば、永く楽しむことが出来ます。
【発明の効果】ナンプレの本を次から次と買わなくてもよくなります。また、問題を間違いなく書き写すこと自体も脳トレになります。
【図１】
2018001739.tif 000003
【手続補正書】
【提出日】平成28年10月3日(2016.10.3)
【手続補正２】
【補正対象書類名】明細書
【補正対象項目名】全文
【補正方法】変更
【補正の内容】
【発明の詳細な説明】
【発明の概要】
【発明が解決しようとする課題】ナンプレの本を１度に３冊程、約２千円位で買いますが、数ヶ月で終わってしまいます。買ってきた本の問題をナンプレノートにボールペンで書き写し、何度も利用することで永く楽しむ事が出来ます。
【課題を解決するための手段】ナンプレの問題をボールペンでナンプレノートに書き写し、数冊のナンプレの本を順番にサイクルしていけば、永く楽しむことが出来ます。
【発明の効果】ナンプレの本を次から次と買わなくてもよくなります。また、問題を間違いなく書き写すこと自体も脳トレになります。
【図面の簡単な説明】
【図１】ナンプレノートの１ページ分を表す図である。
(57)【要約】      （修正有）【課題】ナットの種類に関係なく、ボルトの長さにも関係なく、ナットを回す【解決手段】製品に電動ドリルの先に取り付けたビットの先を挿し込み、その後ボルトに付けたナットに近付けセットし、ボルトを固定し後は手で軽く抑え製品とナットが離れない様にしてドリルのスイッチをいれ回転に合わして上、下にスライドしていく。【選択図】図４
2018001396.tif 000002
【特許請求の範囲】
【請求項１】
ドリルに取り付けたビットの先に本製品を取り付け回転させる事によってボルトに付けたナットを簡単に回転する事ができる商品です
【発明の詳細な説明】
【技術分野】
【０００１】本発明は手間のかかるナットを回す作業において簡単にナットを回す事ができるものです。
【背景技術】
【０００２】従来の製品にはソケットで回す方法がある、これでは限りがあり十分に回す事が出来ない。
【発明の概要】
【０００３】従来の製品ではソケットの大きさが色々ありナットに合った製品でないと回す事ができず、ナットを回す距離も中心に穴があいている長さだけしか回す事が出来ないその後は手によって回していくという不便で効率の悪いものであった。
【０００４】本発明はこの様な従来の製品の問題を解決するものでありナットの種類に関係なくボルトの長さにも関係なくナットを右回し、左回しを自由に回す事が出来る。
【使用方法】
【０００５】製品（図１）に電動ドリルの先に取り付けたビットの先を挿し込み（図５）ます、その後ボルトに付けたナットに近付け（図６）その後（図４）の様にセットします、ボルトを固定し後は手で（図７）の様に軽く抑え製品とナットが離れない様にしてドリルのスイッチをいれ回転に合わして上、下にスライドしていく。
【図面の簡単な説明】
【０００６】
【図１】  本製品の姿図
【図２】  正面図
【図３】  側面図
【図４】  製品にビットを取付けボルトナットに装着した図面
【図５】  製品にビットを取付ける方向の図面
【図６】  製品をボルトナットに装着する図面
【図７】  製品を回転する時に手でボルトを軽く押さえる所
【図１】
2018001396.tif 000003
【図２】
2018001396.tif 000004
【図３】
2018001396.tif 000005
【図４】
2018001396.tif 000006
【図５】
2018001396.tif 000007
【図６】
2018001396.tif 000008
【図７】
2018001396.tif 000009
(57)【要約】      （修正有）【課題】より低コストで浮力を付加することができる双胴船を提供する。【解決手段】互いに離間して並列された２つの胴部１０ａ及び胴部１０ｂは、それぞれ、互いに左右対称且つ長尺に構成された船体であり、その長手方向が双胴船１の直進方向を向くとともに直進方向に直交する横方向に所定の距離だけ離間して並列され、その長手方向が互いに平行するようになっている。クロスデッキ１１は、胴部１０ａ及び胴部１０ｂ上に設けられて胴部１０ａと胴部１０ｂとを連結する。ブリッジ１２は、クロスデッキ１１上に設けられる。推進器１３は、複数のブレードを有するプロペラ１４を回転させることによって、双胴船１を直進方向に前進または後進させる推進力としての水流を発生させる。【選択図】図３
2018001872.tif 000002
【特許請求の範囲】
【請求項１】
互いに離間して並列された２つの胴部と、
前記２つの胴部を接続するクロスデッキと、
前記２つの胴部間に設けられた推進器とを備え、
前記２つの胴部は、内部が真空となっていることを特徴とする双胴船。
【発明の詳細な説明】
【技術分野】
【０００１】
本発明は、２つの胴体を有する双胴船に関する。
【背景技術】
【０００２】
比較的広いデッキを設けることが可能な船舶として、２つの胴体が接続された双胴船が知られている。このような双胴船における推進機は、単胴船と同様に、後方、具体的には船尾近傍に設けられる。ここで、推進器は、２つの胴体の接続部に設けられることが一般的である。
【０００３】
関連する技術として、船体を、双胴部とデッキ部とにより構成し、両胴部は、断面を真円筒状として形成するとともに、胴部内に浮力を付加するための加圧ガスを充填し、船体に推進装置を設けたことを特徴とするソーラボートが知られている（例えば、特許文献１参照）。
【先行技術文献】
【特許文献】
【０００４】
【特許文献１】特開平７−２３２６９０号公報
【発明の概要】
【発明が解決しようとする課題】
【０００５】
上述の双胴船においては、胴部内に充填される加圧ガスとしてヘリウムガスが用いられているが、近年、その限られた供給量に対する需要が増大しているために、急激に価格が上昇しており、加圧ガスとしてヘリウムガスを用いると高コストとなる、という問題があった。
【０００６】
本発明は上述した問題点を解決するためになされたものであり、より低コストで浮力を付加することができる双胴船を提供することを目的とする。
【課題を解決するための手段】
【０００７】
上述した課題を解決するため、本発明の一態様は、互いに離間して並列された２つの胴部と、前記２つの胴部を接続するクロスデッキと、前記２つの胴部間に設けられた推進器とを備え、前記２つの胴部は、内部が真空となっていることを特徴とする。
【発明の効果】
【０００８】
本発明によれば、より低コストで浮力を付加することができる。本発明のその他の効果については、以下の発明を実施するための形態の項でも説明する。
【図面の簡単な説明】
【０００９】
【図１】本実施の形態に係る双胴船の側面図である。
【図２】双胴船の平面図である。
【図３】双胴船の背面図である。
【図４】図２のＡ−Ａ線断面図である。
【発明を実施するための形態】
【００１０】
以下、本実施の形態に係る双胴船について図面を参照しつつ説明する。なお、本明細書及び図面において、実質的に同一の機能を有する構成要素については、同一の符号を付することにより重複説明を省略する。
【００１１】
本実施の形態に係る双胴船の概要について説明する。図１は、本実施の形態に係る双胴船の側面図である。図２は、双胴船の平面図である。図３は、双胴船の背面図である。図４は、図２のＡ−Ａ線断面図である。
【００１２】
図１〜図３に示すように、本実施の形態に係る双胴船１は、右舷側の胴部１０ａ、左舷側の胴部１０ｂ、クロスデッキ１１、ブリッジ１２、推進器１３、プロペラ１４、舵１５を備える。
【００１３】
胴部１０ａ及び胴部１０ｂは、それぞれ、互いに左右対称且つ長尺に構成された船体であり、その長手方向が双胴船１の直進方向を向くとともに直進方向に直交する横方向に所定の距離だけ離間して並列され、その長手方向が互いに平行するようになっている。なお、以降の説明において、胴部１０ａと胴部１０ｂとを区別しない場合は、これらを胴部１０と称する。クロスデッキ１１は、胴部１０ａ及び胴部１０ｂ上に設けられて胴部１０ａと胴部１０ｂとを連結する。ブリッジ１２は、クロスデッキ１１上に設けられる。推進器１３は、複数のブレードを有するプロペラ１４を回転させることによって、双胴船１を直進方向に前進または後進させる推進力としての水流を発生させる。なお、推進器は、ウォータ―ジェット推進機などの他の推進器であっても良い。舵１５は、推進機１３により発生された水流の向きを変化させることにより双胴船１を変針させる。
【００１４】
推進器１３及び舵１５は、横方向において、図２に示すように、胴部１０ａと胴部１０ｂとの間、より具体的には双胴船１の中心線Ｃに沿うように配置されており、舵１５は推進機１３の後方に設けられる。
【００１５】
胴部１０ａは、図４に示すように、その内部が空洞となっており、この空洞は少なくとも大気圧よりも負圧である真空状態となっている。これによって、空洞にヘリウムガスを充填する場合と比較して、より低コストで双胴船１に浮力を付加することができる。なお、胴部１０ｂは胴部１０ａと同様の構成となっており、胴部１０の素材は、軽量且つ高強度である素材であればどのような素材であっても良い。このように胴部１０内部を真空とすることによって、内部が大気圧となっている場合と比較して、より大きい浮力が発生する。更に、左右に配置された胴部１０ａ及び１０ｂの浮力を大きくすることにより、通常の双胴船と比較して、より転覆しにくくなっている。
【００１６】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００１７】
１  双胴船
１０，１０ａ，１０ｂ  胴部
１１  クロスデッキ
１２  ブリッジ
１３  推進器
１４  プロペラ
１５  舵
【図１】
2018001872.tif 000003
【図２】
2018001872.tif 000004
【図３】
2018001872.tif 000005
【図４】
2018001872.tif 000006
(57)【要約】      （修正有）【課題】手帳等に挟むときにかさばらないボールペンを提供する。【解決手段】同じ大きさの７つの細長い袋を並べた芯・補強棒ホルダー２を有し、その端に面ファスナー（フック又はループ）を有する巻き付け固定部と面ファスナー（フック又はループ）に対応する位置に面ファスナー（ループ又はフック）を有し、芯・補強棒ホルダーの7つの袋に各1つの芯又は補強棒４を挿入し、使用時に芯・補強棒ホルダーを丸めて面ファスナーを密着させて使用するボールペンであって、芯のペン先は袋の外に出ており、補強棒は袋の外にはみ出しておらず、芯と補強棒の径は同じであり、７つの袋に芯又は補強棒を挿入した芯・補強棒ホルダーを丸めたときに、芯又は補強棒を挿入した袋同士が互いに精確に密着するように、7つの袋は間隔を置いて形成されており、巻きつけ固定部から最も離れた位置にある袋から数えて２番目と３番目の袋の間隔はほかの袋同士の間隔より大きくした。【選択図】図１
2018001617.tif 000002
【特許請求の範囲】
【請求項１】
同じ大きさの７つの細長い袋を並べて形成した芯・補強棒ホルダーを有し、
該芯・補強棒ホルダーには、その端に面ファスナー（フック又はループ）を有する巻き付け固定部と該面ファスナー（フック又はループ）に対応する位置に面ファスナー（ループ又はフック）を有し、
前記芯・補強棒ホルダーの7つの袋に各1つの芯又は補強棒を挿入し、使用時に芯・補強棒ホルダーを丸めて前記面ファスナーを密着させて使用するボールペンであって、
前記芯は、そのペン先は前記袋の外に出ており、前記補強棒は袋の外にはみ出しておらず、芯と補強棒の径は同じであり、
７つの袋に芯又は補強棒を挿入した芯・補強棒ホルダーを丸めたときに、芯又は補強棒を挿入した袋同士が互いに精確に密着するように、7つの袋は間隔を置いて形成されており、巻きつけ固定部から最も離れた位置にある袋から数えて２番目と３番目の袋の間隔はほかの袋同士の間隔より大きい、
ボールペン。
【請求項２】
丸めたときに中心になる袋に芯を、他の６つの袋に補強棒を挿入した、請求項１に記載のボールペン。
【請求項３】
丸めたときに外側になる６つの袋の１つおきの袋３つに芯を、他の４つの袋に補強棒を挿入した、請求項１に記載のボールペン。
【請求項４】
丸めたときに外側になる６つの袋に芯を、丸めたときに中心になる袋に補強棒を挿入した、請求項１に記載のボールペン。
【請求項５】
巻き付け固定に面ファスナーに代えてマグネットシートを利用する請求項１から請求項４までに記載のボールペン。
【発明の詳細な説明】
【技術分野】
【０００１】
この発明は、使用しないときには平面状に展開でき、使用するときに棒状に丸めて把持するための軸を形成することができるボールペンに関する。
【背景技術】
【０００２】
通常のボールペンは、軸の中に芯があり、軸は把持しやすいように径が８ミリメートル程度はある。
【発明の概要】
【発明が解決しようとする課題】
【０００３】
多くのボールペンにはクリップが付いており、衣服のポケットに掛けることができるが、ポケットがない場合やポケットはあってもポケットに掛けたくない場合などに、手帳等に挟んで携帯することがあるが、厚みがありかさばってしまう。本発明は、手帳等に挟むときにかさばらないボールペンを実現することを課題とする。
【課題を解決するための手段】
【０００４】
本発明のボールペンは、同じ大きさの７つの細長い袋を並べて形成した芯・補強棒ホルダーを有し、該芯・補強棒ホルダーには、その端に面ファスナー（フック又はループ）を有する巻き付け固定部と該面ファスナー（フック又はループ）に対応する位置に面ファスナー（ループ又はフック）を有し、前記芯・補強棒ホルダーの7つの袋に各1つの芯又は補強棒を挿入し、使用時に芯・補強棒ホルダーを丸めて前記面ファスナーを密着させて使用するボールペンであって、前記芯は、そのペン先は前記袋の外に出ており、前記補強棒は袋の外にはみ出しておらず、芯と補強棒の径は同じであり、７つの袋に芯又は補強棒を挿入した芯・補強棒ホルダーを丸めたときに、芯又は補強棒を挿入した袋同士が互いに精確に密着するように、7つの袋は間隔を置いて形成されており、巻きつけ固定部から最も離れた位置にある袋から数えて２番目と３番目の袋の間隔はほかの袋同士の間隔より大きい、構成とした。
【０００５】
前記７つの袋に芯又は補強棒を挿入する場合の芯と補強棒との配置の組み合わせは種々考えられるが、実用性が高い組み合わせは、（ア）丸めたときに中心になる袋に芯を、他の６つの袋に補強棒を挿入、（イ）丸めたときに外側になる６つの袋の１つおきの袋３つに芯を、他の４つの袋に補強棒を挿入、（ウ）丸めたときに外側になる６つの袋に芯を、丸めたときに中心になる袋に補強棒を挿入、である。
【発明の効果】
【０００６】
本発明のボールペンを展開したときには、その厚さは丸めたときの３分の１程度になり、手帳のコーナーポケット等に挟んで携帯しやすい。
【０００７】
多色ボールペンの場合軸の径が大きくなりがちであるが、展開したときの厚さはそのままで最大６色又は６種の芯を同時に使用することができる。
【０００８】
芯と補強棒の径は同じであり、芯と補強棒との配置の組み合わせを任意に変えることができる。
【図面の簡単な説明】
【０００９】
【図１】本発明のボールペンの第１の形態の丸めた状態の斜視図である。
【図２】本発明のボールペンの第１の形態の丸めた状態の平面図である。
【図３】本発明のボールペンの第１の形態の展開した状態の平面図である。
【図４】本発明のボールペンの第１の形態の展開した状態の側面図である。
【図５】本発明のボールペンの第１の形態の丸めた状態の横断面図である。
【図６】本発明のボールペンの第２の形態の丸めた状態の横断面図である。
【図７】本発明のボールペンの第３の形態の丸めた状態の横断面図である。
【発明を実施するための形態】
【００１０】
以下、本発明の実施の形態を図１から図７までに基づいて説明する。
【００１１】
芯・補強棒ホルダー２の材質は、布、皮革、合成樹脂など柔軟性があるものが適している。
【００１２】
芯・補強棒ホルダー２に芯・補強棒挿入袋２ａを形成する方法としては、縫製や接着が考えられる。
【００１３】
芯・補強棒挿入袋２ａの間隔は、芯又は補強棒の径と芯・補強棒ホルダー２の材料の厚さを考慮して決める。
【符号の説明】
【００１４】
１    本発明のボールペン
２    芯・補強棒ホルダー
２ａ  芯・補強棒挿入袋
２ｂ  巻き付け固定部
３    芯
４    補強棒
５    面ファスナー（ループ又はフック）
６    面ファスナー（フック又はループ）
７    インク
８    ペン先
【図１】
2018001617.tif 000003
【図２】
2018001617.tif 000004
【図３】
2018001617.tif 000005
【図４】
2018001617.tif 000006
【図５】
2018001617.tif 000007
【図６】
2018001617.tif 000008
【図７】
2018001617.tif 000009